(57)【要約】【課題】発声の苦手な人でも、音声によりコンピュータを操作可能な音声操作デバイス又は音声操作プログラムを提供する。【解決手段】コンピュータ端末に接続又は搭載され、音声により該コンピュータ端末の操作を行うデバイスであって、移動コマンド及び決定コマンドの少なくとも２種類のコマンドが設けられ、ユーザが発する音声を、コマンドの何れかに割り当てるコマンド割当手段と、音声を音声データとして取得する音声データ取得手段と、音声データをコマンドに関連付けし記憶する音声データ記憶手段と、ユーザがコマンドを実行する際に、音声データ取得手段により取得した音声データが、記憶された何れかのコマンドに関連付けされた音声データに適合するか否かによりコマンドを判別する音声データ判別手段と、判別されたコマンドをコンピュータ端末に送信するコマンド送信手段とが設けられる。【選択図】図１
2018181219.tif 000002
【特許請求の範囲】
【請求項１】
コンピュータ端末に接続又は搭載され、音声により該コンピュータ端末の操作を行うデバイスであって、
移動コマンド及び決定コマンドの少なくとも２種類のコマンドが設けられ、
ユーザが発する音声を、前記コマンドの何れかに割り当てるコマンド割当手段と、
前記音声を、音声データとして取得する音声データ取得手段と、
前記音声データを前記コマンドに関連付けし記憶する音声データ記憶手段と、
ユーザが前記コマンドを実行する際に、前記音声データ取得手段により取得した音声データが、記憶された何れかの前記コマンドに関連付けされた音声データに適合するか否かにより前記コマンドを判別する音声データ判別手段と、
判別された前記コマンドを前記コンピュータ端末に送信するコマンド送信手段と、
が設けられたことを特徴とする音声操作デバイス。
【請求項２】
前記移動コマンドは、上又は下の第１の移動コマンドと、右又は左の第２の移動コマンドが設けられたことを特徴とする請求項１に記載の音声操作デバイス。
【請求項３】
前記移動コマンドは、上、下、右及び左の４種類の移動コマンドが設けられたことを特徴とする請求項１に記載の音声操作デバイス。
【請求項４】
前記コマンドとして、スクロールコマンド、保持コマンド、ホームコマンド及び起動アプリ一覧表示コマンドから選択される少なくとも何れかのコマンドがさらに設けられたことを特徴とする請求項１〜３の何れかに記載の音声操作デバイス。
【請求項５】
前記音声データ判別手段において、前記音声データの波形を構成するデータは、時間の長さ、母音若しくは子音の種類、又は、音階の高さの少なくとも何れかを基準として判別されることを特徴とする請求項１〜４の何れかに記載の音声操作デバイス。
【請求項６】
前記音声データ判別手段において、前記移動コマンドは、前記音声が発せられる時間に合わせて、移動距離が決定されることを特徴とする請求項５に記載の音声操作デバイス。
【請求項７】
前記音声データ判別手段において、前記移動コマンドは、前記音声が発せられることにより移動が開始され、移動開始後に、再度、前記音声が発せられることにより移動が停止されることを特徴とする請求項５に記載の音声操作デバイス。
【請求項８】
前記音声データ判別手段は、記憶された前記音声データと波形が類似する音声データの範囲について閾値を設定し、
前記閾値を超えない音声データについては、前記コマンドを示す前記音声データに適合すると判別し、前記閾値を超える音声データについては、前記コマンドを示す前記音声データに適合しないと判別すること、
を特徴とする請求項１〜７の何れかに記載の音声操作デバイス。
【請求項９】
前記音声データ取得手段において取得する前記コマンドの音声は、
発する前記音声が、日本語カナ１文字、アルファベット１文字、中国語ピンイン１文字の何れかであることを特徴とする請求項１〜８の何れかに記載の音声操作デバイス。
【請求項１０】
前記音声データ記憶手段には、１つの前記コマンドにつき、少なくとも１つの音声データが記憶可能であり、記憶可能な音声データの数を超えて、前記音声データ取得手段により前記音声データが取得された場合には、前記音声データは記憶されず、又は、最も古い前記音声データに上書きされて記憶されることを特徴とする請求項１〜９の何れかに記載の音声操作デバイス。
【請求項１１】
前記コマンドとして、キャンセルコマンドがさらに設けられたことを特徴とする請求項１に記載の音声操作デバイス。
【請求項１２】
前記音声データ判別手段は、
前記閾値を設定した複数の前記コマンドの波形同士に抵触が生じた場合には、判別結果の回数と前記キャンセルコマンドの送信回数を基に、適合するコマンドを選択し記憶することを特徴とする請求項１１に記載の音声操作デバイス。
【請求項１３】
前記音声データ割当手段は、ユーザにとって発しやすい音声が、前記キャンセルコマンドに優先的に割り当てられることを特徴とする請求項１１又は１２に記載の音声操作デバイス。
【請求項１４】
前記コマンド割当手段は、前記コンピュータ端末の本体に設けられた又は画面に表示されたボタンであり、
前記音声データ取得手段は、前記コンピュータ端末に内蔵されたマイクロフォンである、
ことを特徴とする請求項１〜１３の何れかに記載の音声操作デバイス。
【請求項１５】
コンピュータを、請求項１〜１３の何れかの音声操作デバイスにおけるコマンド割当手段、音声データ取得手段、音声データ記憶手段および音声データ判別手段として機能させるための音声操作プログラム。
【請求項１６】
請求項１５の音声操作プログラムが搭載されたコンピュータ端末。
【発明の詳細な説明】
【技術分野】
【０００１】
本発明は、コンピュータの操作を音声により行うデバイス又はプログラムに関するものである。
【背景技術】
【０００２】
一般に、コンピュータを操作する場合には、キーボードが利用されるが、利便性を高めるものとして、マウスが利用されている。マウスは、片手で操作できるため、キーボード入力が得意でない者にとっても操作しやすいデバイスであるといえる。
また、近年、スマートフォンやタブレット端末の普及により、タッチパネル式のディスプレイが増加している。タッチパネル式のディスプレイは、マウスなどのデバイスを必要とせず、ユーザの指だけで、直感的に操作できるため、非常に利便性が高い操作方法であるといえる。
しかしながら、タッチパネルは、手や指が自由に動く健常者にとっては利便性が高いといえるが、手や指が自由に動かない者にとっては、利便性が高いとはいえない。
【０００３】
そこで、ユーザの声だけでスマートフォン等を操作できる音声認識機能が知られている（非特許文献１を参照）。これは、声だけで画面上を移動したり、別の画面へ移動したり、或は、アプリを開いたりできるものであり、例えば、「ホームに移動」と言うと、ホーム画面へ移動することが可能である。また、画面上のアイコンの隣には数字が表示され、ユーザはアイテムに関連付けられた数字を言うだけで、アクセスできるという機能も有している。
しかしながら、非特許文献１に開示された音声認識機能では、ある程度、言葉を正確に発声する必要があり、発声が苦手なユーザにとっては、使いやすいものとはいえない。
【０００４】
また、あらゆる障がい者に対応するためのパソコン操作装置が知られている（特許文献１を参照）。これは、ＣＣＤカメラにより顔の動きを認識して、クリック等の操作を可能とするものであり、必要に応じて、手元スイッチ、足用スイッチ等を使用する。
しかしながら、上記特許文献１に開示されたパソコン操作装置は、装置が大がかりであり、コストが高くなるという問題がある。
【先行技術文献】
【特許文献】
【０００５】
【特許文献１】特開２００９−７６０２３号公報
【０００６】
【非特許文献１】「Google（登録商標）、Android（登録商標）を音声で操作できるアクセシビリティアプリ「Voice Access」をβ公開」http://japan.cnet.com/news/service/35081097/
【発明の概要】
【発明が解決しようとする課題】
【０００７】
障がい等によって、手が使えないユーザにとっては、音声でコンピュータを操作できることは非常に便利である。しかしながら、発声ができるが、正確な言葉の発声は難しいといった場合には、ユーザにとって意図した操作は困難である。
かかる状況に鑑みて、本発明は、発声の苦手な人でも、音声によりコンピュータを操作可能な音声操作デバイス又は音声操作プログラムを提供することを目的とする。
【課題を解決するための手段】
【０００８】
上記課題を解決すべく、本発明の音声操作デバイスは、コンピュータ端末に接続又は搭載され、音声により該コンピュータ端末の操作を行うデバイスであって、移動コマンド及び決定コマンドの少なくとも２種類のコマンドが設けられ、下記手段が設けられるものである。
１）ユーザが発する音声を、コマンドの何れかに割り当てるコマンド割当手段
２）ユーザの発する音声を、音声データとして取得する音声データ取得手段
３）音声データをコマンドに関連付けして記憶する音声データ記憶手段
４）ユーザがコマンドを実行する際に、音声データ取得手段により取得した音声データが、記憶された何れかのコマンドに関連付けされた音声データに適合するか否かによりコマンドを判別する音声データ判別手段
５）判別されたコマンドをコンピュータ端末に送信するコマンド送信手段
【０００９】
なお、ここで、音声操作デバイスにおいて行うコンピュータ端末の操作は、マウスに相当する操作であることが好ましいが、キーボードに相当する操作であってもよい。
本明細書において、ユーザの発する音声とは、人間が意思を伝達するために口から発する音であり、言葉、単語も含まれる意味で用いている。例えば、「あ」「う」などの短母音、「いー」「おー」などの長母音、「か」「こ」などの短子音、「さー」「なー」などの長子音、「そこ」「あっぷ」「みぎ」などの単語である。また、例えば、口笛や、打楽器が奏でるような音を口で表現した音などについても含まれる。
【００１０】
本発明の音声操作デバイスに、移動コマンド及び決定コマンドの少なくとも２種類のコマンドが設けられることにより、発声に障がいがあり、数少ない音声しか発声できないようなユーザであっても、発声可能な音声については正確に発声できるという場合であれば、コンピュータ端末を操作することが可能となる。
移動コマンドとしては、「移動」という１種類のコマンドであっても、カーソルが画面の端から端までを順に選択するように設定されていれば、上下左右へ移動するコマンドが個別に設けられていなくても、操作可能である。その場合には、カーソルが動く速度や、上下又は左右の移動が端まで完了した場合に、次の行に移動する際のピッチについて、設定を行う手段が設けられることが好ましい。
【００１１】
本発明の音声操作デバイスにおいて、移動コマンドは、上又は下の第１の移動コマンドと、右又は左の第２の移動コマンドが設けられたことでもよい。上又は下の第１の移動コマンドと、右又は左の第２の移動コマンドが設けられることにより、１種類のコマンドの場合よりも、多くの言葉が発声できるユーザの場合には、移動操作が容易となり、利便性が向上する。
【００１２】
本発明の音声操作デバイスにおいて、移動コマンドは、上、下、右及び左の４種類の移動コマンドが設けられたことでもよい。移動コマンドが１種類や２種類の場合よりも、さらに多くの言葉が発声できるユーザの場合には、上、下、右及び左の４種類の移動コマンドが設けられることにより、移動操作がより容易となり、利便性が向上する。
【００１３】
本発明の音声操作デバイスは、コマンドとして、スクロールコマンド、保持コマンド、ホームコマンド及び起動アプリ一覧表示コマンドから選択される少なくとも何れかのコマンドがさらに設けられたことでもよい。ここで、スクロールコマンドとは、画面のスクロールを行うコマンドである。保持コマンドとは、選択した状態を保持するコマンドであり、例えば、ドラッグ・アンド・ドロップに相当する操作を行う場合に利用する。ホームコマンドとは、ホーム画面に移動するコマンドである。起動アプリ一覧表示コマンドとは、起動中のアプリケーションの一覧を表示するコマンドである。
【００１４】
１）コマンド割当手段
コマンド割当手段は、コンピュータ端末の本体に設けられたボタンから成ることが好ましいが、音声操作デバイス本体にはボタンを設けず、デバイスを接続したコンピュータ端末上に設けられるものでもよい。その場合は、例えば、画面表示や音声によるガイダンスに従って、音声登録を行うといった構成が用いられる。
また、コマンド割当手段としてコンピュータ端末の本体に設けられたボタンには、さらに、ユーザの利便性を向上させる手段が設けられていてもよい。例えば、透光性のあるボタンの内側や、該当するボタンの付近に、ＬＥＤランプが設けられ、コマンド送信に合わせて、該コマンドに対応するボタンを示すＬＥＤランプが点灯するといった仕様とすることで、動作確認を容易にすることができる。
【００１５】
２）音声データ取得手段
音声データ取得手段は、マイクロフォンが好適に用いられ、コンピュータ端末に内蔵されたマイクロフォンを利用することも可能である。
【００１６】
本発明の音声操作デバイスにおいて、音声データ取得手段において取得するコマンドの音声は、発する音声が、日本語カナ１文字、アルファベット１文字、中国語ピンイン１文字の何れかであることでもよい。このように、短い言葉で登録を行うことにより、音声データ取得手段における音声データの取得が容易となり、判別における精度も向上する。
【００１７】
３）音声データ記憶手段
本発明の音声操作デバイスにおいて、音声データ記憶手段には、１つのコマンドにつき、少なくとも１つの音声データが記憶可能であり、記憶可能な音声データの数を超えて、音声データ取得手段により音声データが取得された場合には、音声データは記憶されず、又は、最も古い音声データに上書きされて記憶されることが好ましい。
音声データ記憶手段には、１つのコマンドにつき、少なくとも１つの音声データが記憶可能であり、複数記憶することも可能であるが、データ容量には制限があり、無限に記憶可能というわけではない。したがって、記憶可能な音声データの数を超えて、音声データ取得手段により音声データが取得された場合には、最新の音声データについては記憶しない、又は、最も古い音声データに上書きされて記憶されるとすることで、データの処理を行うものである。
【００１８】
４）音声データ判別手段
音声データ判別手段において、音声データの波形を構成するデータは、時間の長さ、母音若しくは子音の種類、又は、音階の高さの少なくとも何れかを基準として判別されることが好ましい。時間の長さを基準として判別を行うことにより、例えば、「あ」という同じ言葉を発声した場合でも、１秒間未満発声した場合と、１〜２秒間発声した場合とで、異なるコマンドとして扱うことが可能となる。また、長音の場合だけでなく、同じ言葉の繰り返しを、時間の長さが長いものとして、扱うことも可能である。
母音若しくは子音の種類、又は、音階の高さを基準として判別を行うことにより、コマンド判別の精度を向上させることができる。
【００１９】
音声データ判別手段において、移動コマンドは、音声が発せられる時間に合わせて、移動距離が決定されることでもよい。例えば、「あ」という言葉を発声した場合、「あー」という時間の長さに合わせて移動距離が決定され、発声開始と共に移動が開始し、発声終了と共に移動が停止するといった構成が可能となる。
【００２０】
音声データ判別手段において、移動コマンドは、音声が発せられることにより移動が開始され、移動開始後に、再度、音声が発せられることにより移動が停止されることでもよい。例えば、「あ」という言葉を発声した場合、一度「あ」と発声すると移動が開始し、次に、再度「あ」と発声すると移動が停止するといった構成が可能となる。
【００２１】
音声データ判別手段は、記憶された音声データと波形が類似する音声データの範囲について閾値を設定し、閾値を超えない音声データについてはコマンドを示す音声データに適合すると判別し、閾値を超える音声データについてはコマンドを示す音声データに適合しないと判別することが好ましい。これにより、音声操作デバイスの使用時に、登録済みの音声データと少しズレが生じた音声が発声されたとしても、登録済みの音声データに適合する音声が発せられたと認識することが可能となり、判別の精度が向上する。
【００２２】
５）コマンド送信手段
デバイス本体に予め固定された又は脱着自在の接続ケーブルを用いて、コンピュータ端末と有線で接続してもよいし、Ｂｌｕｅｔｏｏｔｈ（登録商標）等により無線通信を行うことが可能な機能が設けられていてもよい。
【００２３】
本発明の音声操作デバイスは、コマンドとして、キャンセルコマンドがさらに設けられたことでもよい。発声が苦手なユーザにとっては、発声ミスが生じることも多くなるため、意図した操作とは別のコマンドが実行された場合や、コマンドが実行されない場合には、既に発した音声について、取り消すことのできるコマンドが設けられることが、デバイスの利便性を向上させる。キャンセルコマンドは、実行されると、その直前に発せられた音声について、実行を取り消すこととなる。したがって、ユーザが意図していたコマンドの実行を望む場合には、キャンセルコマンド実行の後に、改めてユーザは正しい音声を発することが必要である。
【００２４】
本発明の音声操作デバイスにおいて、キャンセルコマンドがさらに設けられた場合には、音声データ判別手段は、閾値を設定した複数のコマンドの波形同士に抵触が生じた場合には、判別結果の回数とキャンセルコマンドの送信回数を基に、適合するコマンドを選択し記憶することでもよい。判別結果の回数とキャンセルコマンドの送信回数の相関関係を基に、適合するコマンドを選択し記憶することにより、音声判別の精度を向上させることができる。
【００２５】
本発明の音声操作デバイスにおいて、キャンセルコマンドがさらに設けられた場合には、音声データ割当手段は、ユーザにとって発しやすい音声が、キャンセルコマンドに優先的に割り当てられることが好ましい。キャンセルコマンドは、それ自体が正確に実行されないと、利便性が著しく低下する。したがって、ユーザにとって安定して発しうる音声が、キャンセルコマンドに割り当てられる必要がある。そこで、例えば、登録時の発声テストや、蓄積された利用データから、ユーザにとって安定した発声が可能であると判断された音声を、キャンセルコマンドに割り当てたり、再設定を行ったりすることにより、キャンセルコマンド実行の精度を高め、利便性を向上させることができる。
【００２６】
本発明の音声操作プログラムは、コンピュータを、上記の何れかの音声操作デバイスにおけるコマンド割当手段、音声データ取得手段、音声データ記憶手段および音声データ判別手段として機能させるためのものである。
また、本発明のコンピュータ端末は、上記の音声操作プログラムが搭載されたものである。
【発明の効果】
【００２７】
本発明の音声操作デバイス又はプログラムによれば、発声の苦手な人でも、音声によりコンピュータを操作することができるといった効果がある。
【図面の簡単な説明】
【００２８】
【図１】音声操作デバイスとコンピュータに関する機能ブロック図
【図２】実施例１の音声操作デバイスの斜視図
【図３】実施例１の音声操作デバイスとタブレット端末の接続イメージ図
【図４】実施例１の音声操作デバイスの操作イメージ図１
【図５】実施例１の音声操作デバイスの操作イメージ図２
【図６】実施例１の音声操作デバイスの操作イメージ図３
【図７】実施例２の音声操作デバイスの操作イメージ図
【図８】実施例３の音声操作デバイスとタブレット端末の接続イメージ図
【発明を実施するための最良の形態】
【００２９】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００３０】
図１は、音声操作デバイスとコンピュータに関する機能ブロック図を示している。図１に示すように、ユーザ８は、音声操作デバイス１を利用して、コンピュータ９を操作する。音声操作デバイス１は、コマンド割当手段２、音声データ取得手段３、音声データ記憶手段４、音声データ判別手段５、コマンド送信手段６及びデータベース７から成る。
ユーザ８は、利用に当たって、まず。音声登録を行う。ユーザ８は、コマンド割当手段２により、これから登録する音声を、少なくとも２種類設けられたコマンドの何れかのコマンドに割り当てる。ユーザ８が、割り当てられたコマンドに関して音声を発すると、音声データ取得手段３によって、音声は、音声データとして取得される。取得された音声データは、音声データ記憶手段４によって、コマンドに関連付けされて、データベース７に記憶される。
【００３１】
音声登録が完了すると、ユーザ８は、音声操作デバイス１を利用して、コンピュータ９を操作することが可能となる。ユーザ８は、音声操作デバイス１に向けて音声を発すると、音声データ取得手段３により、音声が音声データとして取得される。取得した音声データは、音声データ判別手段５によって、既に記憶された音声データとの照合がなされる。ここで、ユーザ８によって発せられた音声が、既に記憶された音声データと適合すると判断されると、既に記憶された音声データに関連付けされたコマンドが、コマンド送信手段６によって、コンピュータ９に向けて送信される。
【００３２】
図２は、実施例１の音声操作デバイスの斜視図を示している。図２に示すように、音声操作デバイス１には、電源ボタン１０、ダイヤル（１１ａ，１１ｂ）、操作ボタン（２０〜２６）及びマイク３０が設けられている。
電源ボタン１０は、一度押下することで、音声操作デバイス１の電源をオンにすることができ、もう一度押下することで、電源をオフにすることができる。
操作ボタン（２０〜２６）には、それぞれコマンドが割り当てられており、押下しながらマイク３０に向けて音声を発することで、音声を登録することができる構造である。具体的には、操作ボタン２０は左、操作ボタン２１は上、操作ボタン２２は下、操作ボタン２３は右、操作ボタン２４は決定、操作ボタン２５は保持、操作ボタン２６はキャンセルのコマンドがそれぞれ割り当てられている。なお、音声操作デバイス１は、移動コマンドについて、音声が発せられる時間に合わせて、移動距離が決定される仕様となっている。
【００３３】
本実施例では、ユーザ８は、操作ボタン２０を押下しながら「あ」と発声し、左コマンドにつき登録した。同様に、操作ボタン２１を押下しながら「い」と発声し、上コマンドにつき登録した。操作ボタン２２を押下しながら「う」と発声し、下コマンドにつき登録した。操作ボタン２３を押下しながら「え」と発声し、右コマンドにつき登録した。
また、決定コマンドについては、操作ボタン２４につき「お」と発声し、登録を行った。同様に、保持コマンドやキャンセルコマンドについても、任意の音声で登録が可能である。
なお、操作ボタン（２０〜２６）は透光性のある素材で形成され、操作ボタン（２０〜２６）の内側には、図示しないが、それぞれＬＥＤランプが設けられている。ユーザが音声操作を行う際に、音声操作デバイス１からタブレット端末９０へのコマンド送信に合わせて、対応するＬＥＤランプが点灯する仕様となっている。これにより、音声操作デバイス１の動作確認を容易にし、ユーザビリティを向上させることができる。
【００３４】
ダイヤル１１ａは、操作時に、上下左右にカーソルが動く速度を調整するためのものであり、ダイヤル１１ｂは、操作ボタンの機能を切り替えるためのものである。ダイヤル１１ｂが設けられることにより、デバイス本体に設けられるボタンの数が少なくても、多様な操作や設定が可能となっている。
【００３５】
図３は、実施例１の音声操作デバイスとタブレット端末の接続イメージ図を示している。図３に示すように、音声操作デバイス１とタブレット端末９０は、接続ケーブル６０により接続されている。したがって、音声操作デバイス１からタブレット端末９０に向けて、有線で操作コマンドを送信することが可能である。なお、接続先のコンピュータとしては、タブレット端末に限らず、ＰＣ等も利用可能である。
【００３６】
図４〜６を参照しながら、実施例１の音声操作デバイスの操作イメージについて説明する。図４〜６は、実施例１の音声操作デバイスの操作イメージ図を示している。なお、図４〜７においては、タブレット端末９０を横向きで使用しているが、縦向きで使用してもよい。
図４に示すように、タブレット端末９０のディスプレイ９０ａ上には、マウスポインタ１２ａが表示されている。なお、図３で示したように、音声操作デバイス１とタブレット端末９０は接続され、音声操作デバイス１の電源はオンとなっており、かつ、前述のように音声の登録が行われた状態にあるものとする。かかる状態で、「あー」と発声すると、マウスポインタ１２ａは左へと移動を開始する。ここで例えば、マウスポインタ１２ｂの位置まで来たところで、発声を止めると、マウスポインタ１２ｂの位置で停止する。なお、ここでは音声データの取得からコマンドの実行までの時間が存在するため、僅かなタイムラグは存在するものの、ユーザ８の使用感においては、無視できるレベルのタイムラグと考えてよい。
【００３７】
同様に、マウスポインタ１２ａが表示されている状態で、「いー」と発声すると、マウスポインタ１２ａは上へと移動を開始し、マウスポインタ１２ｃの位置まで来たところで、発声を止めると、マウスポインタ１２ｃの位置で停止する。マウスポインタ１２ａが表示されている状態で、「うー」と発声すると、マウスポインタ１２ａは下へと移動を開始し、マウスポインタ１２ｄの位置まで来たところで、発声を止めると、マウスポインタ１２ｄの位置で停止する。マウスポインタ１２ａが表示されている状態で、「えー」と発声すると、マウスポインタ１２ａは右へと移動を開始し、マウスポインタ１２ｅの位置まで来たところで、発声を止めると、マウスポインタ１２ｅの位置で停止する。
移動が完了した後に、「お」と発声すると、マウスポインタの指し示す位置において、決定コマンドが実行される。
【００３８】
図５に示すように、タブレット端末９０のディスプレイ９０ａ上には、アイコン（１３ａ〜１３ｆ）及びマウスポインタ１２ａが表示されている。かかる状態において、アイコン１３ａを選択したいという場合、マウスポインタ１２ａが表示されている状態で、「あー」と発声すると、マウスポインタ１２ａは左へと移動を開始する。マウスポインタ１２ｆの位置まで来たところで、発声を止めると、マウスポインタ１２ｆの位置で停止する。次に、マウスポインタ１２ｆが表示されている状態で、「いー」と発声すると、マウスポインタ１２ｆは上へと移動を開始する。マウスポインタ１２ｇの位置まで来たところで、発声を止めると、マウスポインタ１２ｇの位置で停止する。
移動が完了した後に、「お」と発声すると、マウスポインタ１２ｇの指し示す位置において、決定コマンドが実行される。すなわち、ここではアイコン１３ａをクリック又はタップしたこととなる。
なお、アイコン１３ａを選択する方法としては、上記方法に限られるわけではなく、例えば、先に上方へと移動した後に左方へと移動するといった方法でもよい。
【００３９】
図６に示すように、タブレット端末９０のディスプレイ９０ａ上には、図５に示す場合と同様に、アイコン（１３ａ〜１３ｆ）及びマウスポインタ１２ａが表示されている。かかる状態において、アイコン１３ｆを選択したいという場合、マウスポインタ１２ａが表示されている状態で、「うー」と発声すると、マウスポインタ１２ａは下へと移動を開始する。マウスポインタ１２ｈの位置まで来たところで、発声を止めると、マウスポインタ１２ｈの位置で停止する。次に、マウスポインタ１２ｈが表示されている状態で、「あー」と発声すると、マウスポインタ１２ｈは左へと移動を開始する。マウスポインタ１２ｉの位置まで来たところで、発声を止めると、マウスポインタ１２ｉの位置で停止する。
移動が完了した後に、「お」と発声すると、マウスポインタ１２ｉの指し示す位置において、決定コマンドが実行される。すなわち、ここではアイコン１３ｆをクリック又はタップしたこととなる。
なお、アイコン１３ｆを選択する方法としては、上記方法に限られるわけではなく、図５に示した場合と同様に、例えば、先に左方へと移動した後に下方へと移動するといった方法でもよい。
【実施例２】
【００４０】
図７は、実施例２の音声操作デバイスの操作イメージ図を示している。本実施例は、移動コマンドが１種類のみの仕様となっており、発声できる音声が少ないユーザにとっても利用可能な仕様となっている。
音声の登録については、移動コマンドについて、ユーザ８は、移動コマンドが割り当てられた操作ボタン（図示せず）を押下しながら「あ」と発声し、移動コマンドにつき登録した。なお、図示しないが、決定コマンドの登録や、音声操作デバイスとタブレット端末９０との接続状態、及び、電源の状態等については、実施例１と同様である。
【００４１】
図７に示すように、タブレット端末９０のディスプレイ９０ａ上には、マウスポインタ１２ｊが表示されている。かかる状態で、「あー」と発声すると、マウスポインタ１２ｊは矢印１４ａの方向に、下へと移動を開始する。マウスポインタ１２ｊがディスプレイ９０ａの下端部まで到達しても発声を止めない場合には、続けて、矢印１４ｂに示すように、カーソルが一定のピッチ（Ｐ１，Ｐ２）を空けて右上に移動し、かかる位置から改めて下方へと移動を開始する。同様に、発声を止めない場合には、矢印（１４ｃ〜１４ｊ）に至るまで、マウスポインタ１２ｊは移動を続けることとなる。そして、マウスポインタ１２ｌの位置に到達しても発声を止めない場合には、画面のスクロールが可能であれば、１画面分スクロールした後に、マウスポインタ１２ｊと同様の位置から、矢印１４ａと同様の方向に、下へと移動する。また、画面のスクロールができない場合には、マウスポインタ１２ｊの位置に戻り、改めて、矢印１４ａの方向に、下へと移動する。
ユーザ８が、例えば、アイコン１３ｇを選択したいという場合には、マウスポインタ１２ｋの位置に到達したタイミングで、発声を止めると、マウスポインタ１２ｋの位置で停止する。
【００４２】
移動が完了した後に、「お」と発声すると、マウスポインタ１２ｋの指し示す位置において、決定コマンドが実行される。すなわち、ここではアイコン１３ｇをクリック又はタップしたこととなる。
なお、矢印１４ａと矢印１４ｂのピッチＰ１と、矢印１４ｂと矢印１４ｃのピッチＰ２は、同一であり、矢印（１４ｃ〜１４ｊ）のピッチについても同様である。また、ピッチ（Ｐ１，Ｐ２）については、本実施例における音声操作デバイス或は音声操作デバイスと接続したタブレット端末９０において、設定を変更することが可能である。
本実施例においては、マウスポインタ１２ｊが左上から下方へと移動する例を示したが、これに限られるわけではなく、例えば、マウスポインタ１２ｊが左上から右方へと移動し、右端部まで到達した後、マウスポインタ１２ｊの直ぐ下の位置から、改めて、右方へと移動するといった構成でもよいし、また、右上から移動を開始するといった構成でもよい。
【実施例３】
【００４３】
図８は、実施例３の音声操作デバイスとタブレット端末の接続イメージ図を示している。図８に示すように、音声操作デバイス１００には、図３に示したような接続ケーブル６０は設けられていない。しかしながら、音声操作デバイス１００には、図示しないが、Ｂｌｕｅｔｏｏｔｈ（登録商標）により無線通信を行うことが可能な機能が設けられている。したがって、図８に示すように、音声操作デバイス１００からタブレット端末９０に向けて電波６１を送り、操作コマンドを送信することが可能である。なお、送信先のコンピュータとしては、タブレット端末に限らず、スマートフォンやＰＣなども利用可能である。
【産業上の利用可能性】
【００４４】
本発明は、障がいによって手を使えない人や、自由な発声が容易ではない人が、コンピュータを操作するためのデバイス又はプログラムとして有用である。
【符号の説明】
【００４５】
１，１００  音声操作デバイス
２  コマンド割当手段
３  音声データ取得手段
４  音声データ記憶手段
５  音声データ判別手段
６  コマンド送信手段
７  データベース
８  ユーザ
９  コンピュータ
１０  電源ボタン
１１ａ，１１ｂ  ダイヤル
１２ａ〜１２ｌ  マウスポインタ
１３ａ〜１３ｇ  アイコン
１４ａ〜１４ｊ  矢印
２０〜２６  操作ボタン
３０  マイク
６０  接続ケーブル
６１  電波
９０  タブレット端末
９０ａ  ディスプレイ
Ｐ  ピッチ
【図１】
2018181219.tif 000003
【図２】
2018181219.tif 000004
【図３】
2018181219.tif 000005
【図４】
2018181219.tif 000006
【図５】
2018181219.tif 000007
【図６】
2018181219.tif 000008
【図７】
2018181219.tif 000009
【図８】
2018181219.tif 000010